(57)【要約】    【課題】  押下ボタンを備えたカメラ等の防水型の撮像装置において、部品点数の増大、構造の複雑化、組立作業性の悪化および装置の大型化等の不具合を招くことなく、効果的な防水構造を実現する。    【解決手段】  内部を保護するカバー１１に凹状部１７を形成し、凹状部１７には、押下動作によりシャッタをレリーズさせるレリーズ部材１９と弾性部材から形成したキーボタン１２とを配置し、押圧固定部材１３によって、キーボタン１２の周縁部を押圧し凹状部１７に弾性部材を圧接させて、押圧固定することにより内部を密閉している。押圧固定部材１３は、穴１４を有し、カバー１１は、押圧固定部材１３の穴１４に対応する突起１５を有し、押圧固定部材１３の穴１４とカバー１１の突起１５とを互いに係合させることにより、押圧固定部材１３の一方端側が、カバー１１に引っ掛け固定され、他方端側はねじにより固定される。【選択図】    図４
2008051982.tif 000002
【特許請求の範囲】
【請求項１】
内部を保護するカバーに凹状部を形成し、前記凹状部には、押下動作によりシャッタをレリーズさせるレリーズ部材と弾性部材から形成したキーボタンとを配置し、押圧固定部材によって、前記キーボタンを押圧し前記凹状部に前記弾性部材を圧接させて、押圧固定することにより内部を密閉している撮像装置において、
前記押圧固定部材は、１つ以上の穴および突起の少なくとも一方を有し、
前記カバーは、前記押圧固定部材の穴および突起の少なくとも一方に対応する１つ以上の突起および穴の少なくとも一方を有し、
前記押圧固定部材の前記１つ以上の穴および突起の少なくとも一方と前記カバーの前記１つ以上の突起および穴の少なくとも一方とを互いに係合させることにより、前記押圧固定部材が、前記カバーに引っ掛け固定される
ことを特徴とする撮像装置のレリーズ構造。
【請求項２】
内部を保護するとともに、凹状部が形成され、さらに該凹状部の周辺に１つ以上の突起を有するカバーと、
押下動作によりシャッタをレリーズさせるレリーズ部材および該レリーズ部材の外方面および周縁部を覆う弾性部材から形成され、前記カバーの前記凹状部に配置されるキーボタンと、
前記カバーの前記１つ以上の突起に対応して１つ以上の穴を形成してなり、前記穴を前記カバーの前記突起に係合させることにより引っ掛け固定されて、前記キーボタンを押圧し前記カバーの前記凹状部に前記弾性部材を圧接させて、内部を密閉して押圧固定する押圧固定部材と、
を具備する撮像装置のレリーズ構造。
【請求項３】
前記凹状部を形成している平面とは異なる平面上に、前記カバーの突起および穴の少なくとも一方が、形成されていることを特徴とする請求項１または請求項２に記載の撮像装置のレリーズ構造。
【請求項４】
前記凹状部内にリブを設けていることを特徴とする請求項１〜請求項３のいずれか１項に記載の撮像装置のレリーズ構造。
【請求項５】
前記リブのリブ壁に抜きテーパを形成していることを特徴とする請求項４に記載の撮像装置のレリーズ構造。
【請求項６】
前記凹状部の内壁に抜きテーパを設けていることを特徴とする請求項１〜請求項５のいずれか１項に記載の撮像装置のレリーズ構造。
【請求項７】
前記キーボタンと前記凹状部との当接面にグリスを塗布していることを特徴とする請求項１〜請求項６のいずれか１項に記載の撮像装置のレリーズ構造。
【請求項８】
請求項１〜請求項７のうちのいずれか１項に記載のレリーズ構造を備えていることを特徴とする撮像装置。
【発明の詳細な説明】
【技術分野】
【０００１】
本発明は、水中で写真および映像等の撮像を可能とするために防水型構造とし、レリーズ用の押圧ボタンを備えたカメラ等の撮像装置のレリーズ構造およびそのようなレリーズ構造を備えた撮像装置に関するものである。
【背景技術】
【０００２】
従来から水中で写真および映像等を撮像することができるようにするために、スティルカメラおよびビデオカムコーダ等のカメラを収納し得るように形成した防水仕様の防水ケースが用いられている。このような防水ケースは、必然的に内部に収納されるカメラよりも外形がかなり大きくなってしまう。
これに対して、カメラ本体を防水構造として、よりコンパクトな外形で水中での撮像を可能としたものもある。このようにカメラ本体に防水構造を適用する場合に、可動部、特にレリーズボタン等の押下操作されるボタン部分、の構成が重要であり、この部分に高い防水性を確保しつつコンパクトに構成し、しかも良好な組み立て作業性を実現することが必要となる。従来の防水構造を有するカメラにおける押下ボタン部分に関する構造としては、例えば、特許文献１（特開２００５−２０３１１４号公報）、特許文献２（特開平１１−２２４５５７号公報）および特許文献３（特開２００４−１５１４０５号公報）に示されたものがある。
【０００３】
例えば、カメラ本体に防水構造を有するカメラにおける押下操作されるボタンに関しての従来技術である特許文献１、特許文献２等においては、シリコンゴム等の弾性部材から形成されているキーボタン本体にキーボタン取り付け面および防水リブを形成し、キーボタン保持部材のフランジ部と爪部を用いてキーボタン取り付け面部分と外筐の対応部分とを挟み込んで固定する方式が提案されている。この方式では、上述したような防水ケースを用いる必要はないが、キーボタン全周を押圧固定しているわけではなく、しかもキーボタン保持部材のフランジ部と爪部との間の距離等の部品精度によって防水性を得るようにしているため、充分な防水性を確保しているとはいえない。
また、特許文献２（特開平１１−２２４５５７号）等に示される防水押しボタンスイッチにおいては、操作感に優れかつ防水性能が損なわれにくい構造をベース部材、操作部材、防水パッキン、被押圧部材、挟着保持部材および圧縮テーパコイルばね等を用いて構成し、ベース部材に挟着保持部材を回転挿入して係合させることによって防水パッキンを圧縮挟持して保持する方式が提案されている。しかしながら、この方式では、部品点数が多くなり、製造時の組立性が悪いため、製造コストの大幅な上昇を招いてしまうことになる。
【０００４】
また、特許文献３（特開２００４−１５１４０５公報）に示されるレリーズ構造においては、レリーズ部は、フロントケースに対して往復摺動可能に取付けられたレリーズ部材を防水状態に覆うように形成されたゴム製のレリーズカバーとから構成されており、一方、レリーズボタン部に第１軸部および第２軸部とを所定の間隔で離隔され、上記ボタン部を押圧操作することにより上記第２軸部により被操作部が操作されるようになっている。しかしながら、この方式は、レリーズカバーの取付け構成に改善されておらず、また、レリーズボタン部の構造が第１軸部と第２軸部とを設ける分、構造が複雑となり、また、被操作部材を押圧するのは、レリーズ部の中心から偏心した第２の軸部であるため、第１軸部が分力を受けて偏心した反力を受けることにより、レリーズ部材の操作が重くなる、という問題がある。
【０００５】
【特許文献１】特開２００５−２０３１１４号公報
【特許文献２】特開平１１−２２４５５７号公報
【特許文献３】特開２００４−１５１４０５号公報
【発明の開示】
【発明が解決しようとする課題】
【０００６】
本発明は、上述した事情に鑑みてなされたもので、押下ボタンを備えたカメラ等の防水型の撮像装置において、部品点数の増大、構造の複雑化、組立作業性の悪化および装置の大型化等の不具合を招くことなく、効果的な防水構造を実現することを可能とする撮像装置のレリーズ構造を提供することを目的としている。
本発明の請求項１の目的は、特に、押下ボタンに関連する可動防水構造部分の組み立て固定構成を簡単化して、部品点数を削減し、組立作業性を向上させ、そして装置外形の大型化を防止することを可能とする撮像装置のレリーズ構造を提供することにある。
本発明の請求項２の目的は、特に、押下ボタンに関連する可動防水構造部分の組み立て固定構成の適正な簡単化により、効果的に、部品点数を削減し、組立作業性を向上させ、そして装置外形の大型化を防止することを可能とする撮像装置のレリーズ構造を提供することにある。
本発明の請求項３の目的は、特に、押下ボタンに関連する可動防水構造部分の組み立て固定構成の係合方向性を用いて、防水性を安定化し且つ装置外形の大型化を防止することを可能とする撮像装置のレリーズ構造を提供することにある。
【０００７】
本発明の請求項４の目的は、特に、押下ボタンに関連する可動防水構造部分の組み立て固定構成における、防水状態の安定化を図り、防水性および組み立て作業性を向上させることを可能とする撮像装置のレリーズ構造を提供することにある。
本発明の請求項５の目的は、特に、押下ボタンに関連する可動防水構造部分の一部の部品成型における離型時の部品不良の発生を低減し、生産性を向上することを可能とする撮像装置のレリーズ構造を提供することにある。
本発明の請求項６の目的は、特に、押下ボタンに関連する可動防水構造部分の他の一部の部品成型における離型時の部品不良の発生を低減し、生産性を向上することを可能とする撮像装置のレリーズ構造を提供することにある。
本発明の請求項７の目的は、特に、押下ボタンに関連する可動防水構造部分の密着性能を高め、防水性を向上させることを可能とする撮像装置のレリーズ構造を提供することにある。
本発明の請求項８の目的は、特に、押下ボタンに関連する可動防水構造部分の部品点数を削減し、組立作業性を向上させ、そして装置外形の大型化を防止することを可能とする撮像装置を提供することにある。
【課題を解決するための手段】
【０００８】
請求項１に記載した本発明に係る撮像装置のレリーズ構造は、上述した目的を達成するために、
内部を保護するカバーに凹状部を形成し、前記凹状部には、押下動作によりシャッタをレリーズさせるレリーズ部材と弾性部材から形成したキーボタンとを配置し、押圧固定部材によって、前記キーボタンを押圧し前記凹状部に前記弾性部材を圧接させて、押圧固定することにより内部を密閉している撮像装置において、
前記押圧固定部材は、１つ以上の穴および突起の少なくとも一方を有し、
前記カバーは、前記押圧固定部材の穴および突起の少なくとも一方に対応する１つ以上の突起および穴の少なくとも一方を有し、
前記押圧固定部材の前記１つ以上の穴および突起の少なくとも一方と前記カバーの前記１つ以上の突起および穴の少なくとも一方とを互いに係合させることにより、前記押圧固定部材が、前記カバーに引っ掛け固定される
ことを特徴としている。
【０００９】
請求項２に記載した本発明に係る撮像装置のレリーズ構造は、上述した目的を達成するために、
内部を保護するとともに、凹状部が形成され、さらに該凹状部の周辺に１つ以上の突起を有するカバーと、
押下動作によりシャッタをレリーズさせるレリーズ部材および該レリーズ部材の外方面および周縁部を覆う弾性部材から形成され、前記カバーの前記凹状部に配置されるキーボタンと、
前記カバーの前記１つ以上の突起に対応して１つ以上の穴を形成してなり、前記穴を前記カバーの前記突起に係合させることにより引っ掛け固定されて、前記キーボタンを押圧し前記カバーの前記凹状部に前記弾性部材を圧接させて、内部を密閉して押圧固定する押圧固定部材と、
を具備することを特徴としている。
請求項３に記載した本発明に係る撮像装置のレリーズ構造は、請求項１または請求項２の撮像装置のレリーズ構造であって、
前記凹状部を形成している平面とは異なる平面上に、前記カバーの突起および穴の少なくとも一方が、形成されていることを特徴としている。
【００１０】
請求項４に記載した本発明に係る撮像装置のレリーズ構造は、請求項１〜請求項３のいずれか１項の撮像装置のレリーズ構造であって、
前記凹状部内にリブを設けていることを特徴としている。
請求項５に記載した本発明に係る撮像装置のレリーズ構造は、請求項４の撮像装置のレリーズ構造であって、
前記リブのリブ壁に抜きテーパを形成していることを特徴としている。
請求項６に記載した本発明に係る撮像装置のレリーズ構造は、請求項１〜請求項５のいずれか１項の撮像装置のレリーズ構造であって、
前記凹状部の内壁に抜きテーパを設けていることを特徴としている。
請求項７に記載した本発明に係る撮像装置のレリーズ構造は、請求項１〜請求項６のいずれか１項の撮像装置のレリーズ構造であって、
前記キーボタンと前記凹状部との当接面にグリスを塗布していることを特徴としている。
請求項８に記載した本発明に係る撮像装置は、請求項１〜請求項７のうちのいずれか１項のレリーズ構造を備えていることを特徴としている。
【発明の効果】
【００１１】
本発明によれば、押下ボタンを備えたカメラ等の防水型の撮像装置において、部品点数の増大、構造の複雑化、組立作業性の悪化および装置の大型化等の不具合を招くことなく、効果的な防水構造を実現することを可能とする撮像装置のレリーズ構造を提供することができる。
すなわち、本発明の請求項１の撮像装置のレリーズ構造によれば、内部を保護するカバーに凹状部を形成し、前記凹状部には、押下動作によりシャッタをレリーズさせるレリーズ部材と弾性部材から形成したキーボタンとを配置し、押圧固定部材によって、前記キーボタンを押圧し前記凹状部に前記弾性部材を圧接させて、押圧固定することにより内部を密閉している撮像装置において、前記押圧固定部材が、１つ以上の穴および突起の少なくとも一方を有し、前記カバーが、前記押圧固定部材の穴および突起の少なくとも一方に対応する１つ以上の突起および穴の少なくとも一方を有し、前記押圧固定部材の前記１つ以上の穴および突起の少なくとも一方と前記カバーの前記１つ以上の突起および穴の少なくとも一方とを互いに係合させることにより、前記押圧固定部材が、前記カバーに引っ掛け固定されることにより、特に、押下ボタンに関連する可動防水構造部分の組み立て固定構成を簡単化して、部品点数を削減し、組立作業性を向上させ、そして装置外形の大型化を防止することが可能となる。
【００１２】
本発明の請求項２の撮像装置のレリーズ構造によれば、内部を保護するとともに、凹状部が形成され、さらに該凹状部の周辺に１つ以上の突起を有するカバーと、押下動作によりシャッタをレリーズさせるレリーズ部材および該レリーズ部材の外方面および周縁部を覆う弾性部材から形成され、前記カバーの前記凹状部に配置されるキーボタンと、前記カバーの前記１つ以上の突起に対応して１つ以上の穴を形成してなり、前記穴を前記カバーの前記突起に係合させることにより引っ掛け固定されて、前記キーボタンを押圧し前記カバーの前記凹状部に前記弾性部材を圧接させて、内部を密閉して押圧固定する押圧固定部材と、を具備することにより、特に、押下ボタンに関連する可動防水構造部分の組み立て固定構成の適正な簡単化により、効果的に、部品点数を削減し、組立作業性、操作性を向上させ、そして装置外形の大型化を防止することが可能となる。
つまり、請求項１および請求項２の撮像装置のレリーズ構造とすれば、押圧固定部材およびカバーの穴と突起を相互に引っ掛けて押圧固定部材をカバーに固定することによって、固定するためのねじ等の数を削減し、作業工数も削減することができる。また、レイアウト的に余裕が無い場合において、ねじ止め等の固定方法よりも、引っ掛け係合による固定のほうが効果的に大型化を避けることができる。
【００１３】
また、本発明の請求項３の撮像装置のレリーズ構造によれば、請求項１または請求項２の撮像装置のレリーズ構造において、前記凹状部を形成している平面とは異なる平面上に、前記カバーの突起および穴の少なくとも一方が、形成されることにより、特に、押下ボタンに関連する可動防水構造部分の組み立て固定構成の係合方向性を用いて、防水性を安定化し且つ装置外形の大型化を防止することが可能となる。
即ち、カバーの突起または穴が凹状部を形成している平面と同一平面上に位置していると、押圧固定部材とカバーの部品精度によってガタが生じ、押圧固定部材およびカバーの穴と突起を用いてキーボタンを押圧固定することができなくなる可能性があり、係合が外れるおそれもある。しかしながら、請求項３の撮像装置のレリーズ構造とすれば、カバーの突起または穴が凹状部を形成している平面と異なる平面上に形成されることによって、押圧固定部材がカバーの凹状部から脱落する方向とは異なる方向に押圧固定部材の引っ掛け部が形成されて、脱落の心配が無くなり、キーボタンを適切に押圧固定することができ、また、レイアウトを考慮することによって、カメラの外形の大型化を防止することが可能となる。
【００１４】
本発明の請求項４の撮像装置のレリーズ構造によれば、請求項１〜請求項３のいずれか１項の撮像装置のレリーズ構造において、前記凹状部内にリブを設けることにより、特に、押下ボタンに関連する可動防水構造部分の組み立て固定構成における、防水状態の安定化を図り、防水性および組み立て作業性を向上させることが可能となる。
キーボタンを押圧固定部材で押圧固定する際に、弾性部材で形成されているキーボタンが押圧によって意図しない方向に逃げる可能性がある。これに対して請求項４の撮像装置のレリーズ構造とすれば、リブによって、キーボタンの安定した押圧状態を維持することができ、且つ防水性を向上させることができる。
本発明の請求項５の撮像装置のレリーズ構造によれば、請求項４の撮像装置のレリーズ構造において、前記リブのリブ壁に抜きテーパを形成することにより、特に、押下ボタンに関連する可動防水構造部分の一部の部品成型における離型時の部品不良の発生を低減し、生産性を向上することが可能となる。
カバーは、一般にプラスチック製であるため、射出成形機および金型を用いて成型される。リブは金型の構造上、離型する方向に形成されているため、請求項５の撮像装置のレリーズ構造に従って、抜きテーパを設けることによって、離型の失敗、いわゆるキャビとられ、による部品不良等を防止することができる。
【００１５】
本発明の請求項６の撮像装置のレリーズ構造によれば、請求項１〜請求項５のいずれか１項の撮像装置のレリーズ構造において、前記凹状部の内壁に抜きテーパを設けることにより、特に、押下ボタンに関連する可動防水構造部分の他の一部の部品成型における離型時の部品不良の発生を低減し、生産性を向上することが可能となる。
カバーは、上述したように一般にプラスチック製であるため、射出成形機および金型を用いて成型される。請求項６の撮像装置のレリーズ構造に従って、凹状部の内壁に抜きテーパを設けることによって、いわゆるキャビとられ、のような離型の失敗による部品不良等を防止することができる。また、押下されたキーボタンが押圧防止部材と凹状部の抜きテーパ部に挟み込まれることによって、防水性が向上することも期待できる。
本発明の請求項７の撮像装置のレリーズ構造によれば、請求項１〜請求項６のいずれか１項の撮像装置のレリーズ構造において、前記キーボタンと前記凹状部との当接面にグリスを塗布することにより、特に、押下ボタンに関連する可動防水構造部分の封止性能を高め、防水性を向上させることが可能となる。
【００１６】
請求項７の撮像装置のレリーズ構造とすれば、前記キーボタンと前記凹状部との当接面に塗布されるグリスによって、弾性部材で形成されたキーボタンと凹状部との当接面の密着性を向上させ、防水性を向上させることができる。
本発明の請求項８の撮像装置によれば、請求項１〜請求項７のうちのいずれか１項のレリーズ構造を備えることにより、特に、押下ボタンに関連する可動防水構造部分の部品点数を削減し、組立作業性を向上させ、そして装置外形の大型化を防止することが可能となる。
【発明を実施するための最良の形態】
【００１７】
以下、本発明の実施の形態に係る図面を参照して本発明のレリーズ構造を備えた撮像装置を詳細に説明する。
図１〜図４は、本発明の撮像装置の第１の実施の形態に係る防水型ディジタルカメラの構成を示している。図１は、防水型ディジタルカメラの全体の構成を示す前方上方から見た斜視図、図２は、保護用プロテクタを取り外した状態のレリーズボタン部分の詳細な構成を示す前方上方から見た斜視図、図３は、保護用プロテクタを取り外した状態のレリーズボタン部分の詳細な構成を模式的に示す正面から見た斜視図、そして図４は、保護用プロテクタを取り外した状態のレリーズボタン部分の詳細な構成を示す側方から見た断面図である。
図１〜図４に示す防水型ディジタルカメラ１は、グリップ部２、レリーズボタン部３、撮影レンズ４、光学ファインダ５、ストロボ発光部６、モードダイヤル７、電源スイッチ８、アクセサリシュー９、蓋部１０、カバー１１、キーボタン１２、押圧固定部材１３、穴１４、突起１５、ねじ１６、凹状部１７、平面１８、レリーズ部材１９、孔部２０およびリブ２１を具備している。
【００１８】
図１に示すように、防水型のディジタルカメラ１は、正面から見て左側に撮影者が把持するためのグリップ部２が設けられており、そのグリップ部２の上部にレリーズボタン部３が形成されている。ディジタルカメラ１の正面側のほぼ中央には撮影レンズ４が設けられており、撮影レンズ４の上方にはユーザが撮影範囲等を目視にて確認するための光学ファインダ５および低照度での撮影等の場合に被写体に向けて補助光を照射するためのストロボ発光部６がそれぞれ設けられている。ディジタルカメラ１の上面には、カメラの各種動作モードを選択するための回転式スイッチからなるモードダイヤル７と、モードダイヤル７の中央に配置された電源をオン／オフするための押しボタンスイッチからなるメインスイッチである電源スイッチ８と、外部ストロボ装置等を取り付けるためのアクセサリシュー９とが設けられている。ディジタルカメラ１の正面から見た左側面には、メモリカードを脱離可能に装着するためのカードスロットと、電池を脱離可能に装着するための電池室とを開閉するための電池蓋１０が設けられている。
図１のグリップ部２およびその上方のレリーズボタン部３等を含む部分は、保護用プロテクタで覆われており、この保護用プロテクタを取り外した状態でのレリーズボタン部近傍の詳細が、図２、図３および図４に示されている。
【００１９】
主として図２に示すように、防水型のディジタルカメラ１のレリーズボタン部３においては、シリコンゴム等の弾性部材で形成されているキーボタン１２を、押圧固定部材１３にて、例えばプラスチック製のカバー１１に固定している。固定方法は、本発明の特徴の一つである押圧固定部材１３の前方の縁部に形成された穴１４に、カバー１１に突設された突起１５を引っ掛けて係合させ、その反対側の後方の縁部において２つのねじ１６を用いて押圧固定部材１３をカバー１１にねじ留めしている。本発明においてねじ１６の本数および設置場所は、図示の形態に限定するものではなく、他の本数および他の位置としてもよい。引っ掛け部は、カバー１１に設けられた凹状部１７を有する平面１８と異なる平面に形成されるのも本発明の一つの特徴である（請求項３）。このように異なる平面上とすることで、レリーズボタン位置を変更することなしに、グリップ部２の前方凸量を最小限とすることができる。また、押圧固定部材１３がカバー１１の凹状部１７から脱落する方向とは異なる方向に押圧固定部材１３の引っ掛け部が形成されることによって、押圧固定部材１３が脱落する心配が無くなり、キーボタン１２を適切に押圧固定することができる。
【００２０】
また、図３は、レリーズボタン部３を前方から見た状態を示しており、図４は、図３の前後方向に平行な断面による縦断面を示している。
シャッタをレリーズするためのアクチュエータとして機能するレリーズ部材１９は、キーボタン１２によってその下面側内部に保持されており、レリーズ動作時は、カバー１１に設けられた凹状部１７内に設けられた孔部２０を貫通するレリーズ部材１９の軸柱によってカバー１１内部の（図示されていない）スイッチをオンとすることができる。キーボタン１２を押圧固定部材１３で押圧固定する際、弾性部材で形成されているキーボタン１２が押圧によって意図しない方向（例えば図４に示すレリーズ部材１９の中心軸方向）へ逃げるおそれがある。これを防ぐために、図示のようなリブ２１を設けていることも本発明の一つの特徴（請求項４）である。
また、カバー１１は、コストおよび生産性の観点から、一般に、プラスチック材料を用いて、射出成形によって形成される。凹状部１７の内壁面およびリブ２１の壁部は、明確には、図示していないが、金型の構造上、離型する方向に形成されているため、１度以上の角度の抜きテーパを設けている（請求項５および請求項６）。但し、抜きテーパ角度も、本発明において限定されるものではなく、形状および素材に応じて適宜選定することができる。キーボタン１２と凹状部１７との当接面にグリスを塗布していることも本発明の一つの特徴である（請求項７）。このグリスは、弾性部材で形成されたキーボタン１２と凹状部１７との当接面の密着性を向上させるものであれば、どのような材質であってもよい。
【００２１】
図５は、本発明の撮像装置の第２の実施の形態に係る防水型ディジタルカメラの構成を示しており、防水型ディジタルカメラのレリーズボタン部近傍の正面側から見た断面構成を模式的に示す断面図である。
図５においては、カバー３１に弾性部材で形成されているキーボタン３２が押圧固定部材３３にて固定されている。この場合の構成においては、カバー３１の左右に設けられた突起３５ａおよび３５ｂに、押圧固定部材３３にそれぞれ各対応して設けられた穴３４ａおよび３４ｂによって、ほぼ対称の左右位置において引っ掛け固定している。
【００２２】
このような状態でも防水性を確保することは可能であるが、安全のためにさらにねじ（図示されていない）を用いて、ねじ留めしてもよい。また、引っ掛け係合箇所の数は、図示した構成に限らず、適宜状況に応じて設定することができる。
なお、上述した第１および第２の実施の形態においては、押圧固定部材１３および３３に穴１４および３４ａ、３４ｂを設け、カバー１１および３１に突起１５および３５ａ、３５ｂを設ける構成としたが、押圧固定部材に突起を設け、カバーに穴を設ける構成としてもよく、またこれら係合部の数も適宜設定すればよく、押圧固定部材に突起と穴を設け、カバーに穴と突起を設ける構成としてもよい。また、本発明に係るレリーズ構造を適用する撮像装置としてディジタルカメラを例示したが、本発明は、ディジタルカメラに限らず、いわゆる銀塩フィルムを用いる銀塩カメラ等に適用してもよく、静止画を撮影するスティルカメラであってもまた動画を撮影するビデオカメラであっても同様に適用することができ、多種多様の撮像装置に適用することができる。
【図面の簡単な説明】
【００２３】
【図１】本発明の撮像装置の第１の実施の形態に係る防水型ディジタルカメラの全体の構成を示す前方上方から見た斜視図である。
【図２】図１のディジタルカメラの保護用プロテクタを取り外した状態のレリーズボタン部分の詳細な構成を示す前方上方から見た斜視図である。
【図３】図１のディジタルカメラの保護用プロテクタを取り外した状態のレリーズボタン部分の詳細な構成を示す正面から見た斜視図である。
【図４】図１のディジタルカメラの保護用プロテクタを取り外した状態のレリーズボタン部分の詳細な構成を示す側方から見た断面図である。
【図５】本発明の撮像装置の第２の実施の形態に係る防水型ディジタルカメラのレリーズボタン部近傍の正面側から見た断面構成を示す断面図である。
【符号の説明】
【００２４】
１  防水型ディジタルカメラ
２  グリップ部
３  レリーズボタン部
４  撮影レンズ
５  光学ファインダ
６  ストロボ発光部
７  モードダイヤル
８  電源スイッチ
９  アクセサリシュー
１０  蓋部（電池蓋）
１１，３１  カバー
１２，３２  キーボタン
１３，３３  押圧固定部材
１４，３４ａ，３４ｂ  穴
１５，３５ａ，３５ｂ  突起
１６  ねじ
１７  凹状部
１８  平面
１９  レリーズ部材
２０  孔部
２１  リブ
【図１】
2008051982.tif 000003
【図２】
2008051982.tif 000004
【図３】
2008051982.tif 000005
【図４】
2008051982.tif 000006
【図５】
2008051982.tif 000007